(57)【要約】【課題】メンテナンス作業時に筐体の外側に必要とするスペースをなるべく抑えることができ、かつ、基板同士の接続および解除を円滑に行なうことができる画像形成装置を提供する。【解決手段】画像形成装置１０１は、被メンテナンス領域１ａを有する筐体１と、第１基板３１を支持する第１基板支持部１１と、第２基板３２を支持する第２基板支持部１２とを備える。第１基板支持部１１は、回動可能であることによって被メンテナンス領域１ａのうち一部に対して開閉可能であり、第２基板支持部１２は、回動可能であることによって被メンテナンス領域１ａのうち他の一部に対して開閉可能であり、第１基板支持部１１と第２基板支持部１２との両方を閉状態とすることによって、第１基板３１と第２基板３２とは重なり合うことなく隣接し、第１基板支持部１１と第２基板支持部１２は、被メンテナンス領域１ａを閉鎖する。【選択図】図５
2020012902.tif 000002
【特許請求の範囲】
【請求項１】
被メンテナンス領域を有する筐体と、
第１基板を支持する第１基板支持部と、
第２基板を支持する第２基板支持部とを備え、
前記第１基板支持部は、前記筐体に設けられた第１回動軸の周りに回動可能であることによって前記被メンテナンス領域のうち第１部分に対して開閉可能であり、
前記第２基板支持部は、前記第１回動軸とは別に前記第１回動軸と平行に前記筐体に設けられた第２回動軸の周りに回動可能であることによって前記被メンテナンス領域のうち前記第１部分とは異なる第２部分に対して開閉可能であり、
前記第１基板支持部と前記第２基板支持部との両方を閉状態とすることによって、前記第１基板と前記第２基板とは重なり合うことなく隣接し、前記第１基板支持部と前記第２基板支持部は、前記被メンテナンス領域を閉鎖する、画像形成装置。
【請求項２】
前記第１基板支持部および前記第２基板支持部が前記被メンテナンス領域を閉鎖した状態においては、前記第１基板の前記第１回動軸から遠い側の端と前記第２基板の前記第２回動軸から遠い側の端とが接続される、請求項１に記載の画像形成装置。
【請求項３】
前記第１基板支持部および前記第２基板支持部が前記被メンテナンス領域を閉鎖した状態から前記第１基板支持部および前記第２基板支持部のうち少なくとも一方を開ける際には、前記第１基板と前記第２基板との間の接続を先に解除しない限り開けることができない、請求項１または２に記載の画像形成装置。
【請求項４】
前記第１基板を前記第１基板支持部に対してスライドさせるか、前記第２基板を前記第２基板支持部に対してスライドさせるかの少なくともいずれか一方が可能であり、このスライドによって、前記第１基板と前記第２基板との間の接続が切り離される、請求項１から３のいずれかに記載の画像形成装置。
【請求項５】
前記第１基板および前記第２基板のうち少なくとも一方を他方から遠ざかる向きにスライドさせることによって、前記第１基板と前記第２基板との間の接続が解除される、請求項１から３のいずれかに記載の画像形成装置。
【請求項６】
前記第１基板支持部および前記第２基板支持部の少なくとも一方に対して、閉状態で固定する固定部が設けられており、前記第１基板と前記第２基板とが接続されている状態では、前記固定部は隠されており、前記第１基板および前記第２基板のうちいずれか一方をスライドさせることによって前記固定部が露出して前記固定部に対する操作が可能となる、請求項１から５のいずれかに記載の画像形成装置。
【請求項７】
前記第１基板支持部および前記第２基板支持部の少なくとも一方を、前記第１基板支持部と前記第２基板支持部とが互いに遠ざかる向きにスライドさせることによって、前記第１基板と前記第２基板との間の接続が解除される、請求項１から３のいずれかに記載の画像形成装置。
【請求項８】
前記第１基板支持部および前記第２基板支持部の少なくとも一方に対応して、回動を規制する回動規制部が設けられており、前記第１基板支持部および前記第２基板支持部の少なくとも一方をスライドさせることにより、前記回動規制部による規制が解除される、請求項１から７のいずれかに記載の画像形成装置。
【請求項９】
前記第１基板支持部および前記第２基板支持部の少なくとも一方に対して、閉状態で固定する固定部が設けられており、前記第１基板と前記第２基板とが接続されている状態では、前記固定部は隠されており、前記第１基板支持部および前記第２基板支持部のうちいずれか一方をスライドさせることによって前記固定部が露出して前記固定部に対する操作が可能となる、請求項１から８のいずれかに記載の画像形成装置。
【請求項１０】
前記第１回動軸および前記第２回動軸の少なくとも一方は、この回動軸に対応する基板支持部がスライドすることによって前記基板支持部が回動可能な状態と回動不可能な状態とを切り替えることができる、請求項１から９のいずれかに記載の画像形成装置。
【請求項１１】
前記第１回動軸および前記第２回動軸の少なくとも一方は、前記基板支持部の軸部を孔に収容して保持する構造となっており、前記孔は、内部で前記軸部が回動可能なように広がった空間を有する第１空間部と、前記軸部が内部で回動できないように狭くなっている第２空間部とを有し、前記第１空間部と前記第２空間部とは、前記軸部が相互に移動可能なように連通している、請求項１０に記載の画像形成装置。
【請求項１２】
前記第１基板と前記第２基板との接続は、着脱可能な仲介部品によってなされており、前記第１基板支持部および前記第２基板支持部は前記仲介部品が付けられている状態では開けることができず、前記仲介部品を取り外すことによって、開けることが可能となる、請求項１から１１のいずれかに記載の画像形成装置。
【請求項１３】
前記第１基板は画像処理基板であり、着脱可能なシールドケース内に格納されている、請求項１から１２のいずれかに記載の画像形成装置。
【発明の詳細な説明】
【技術分野】
【０００１】
本発明は、画像形成装置に関するものである。
【背景技術】
【０００２】
画像形成装置の一例が、特開２００５−８４４１０号公報（特許文献１）に記載されている。特許文献１に記載された画像形成装置では、メンテナンス作業時に筐体の内部に対して外部からアクセス可能にするために、電装基板などが収められた収納ケースが、筐体の一方の端に設けられた軸のまわりに、筐体内から外側に向けて揺動されて張り出される構成となっている。
【先行技術文献】
【特許文献】
【０００３】
【特許文献１】特開２００５−８４４１０号公報
【発明の概要】
【発明が解決しようとする課題】
【０００４】
特許文献１に記載された画像形成装置では、収納ケースには複数の電装基板、記憶装置が設置されているので、収納ケースは長い寸法のものとなり、収納ケースを開放した場合、筐体の外に大きく張り出すこととなる。収納ケースを開放するためには筐体の外側に大きくスペースを開けておかなければならない。
【０００５】
また、特許文献１では、収納ケースに設置された電装基板に対して、収納ケースの外から他の電装基板が接続されることとなっているが、必要に応じて開閉することもある収納ケースにおいてこの接続および解除がどのように行なわれるのか明確ではない。
【０００６】
そこで、本発明は、メンテナンス作業時に筐体の外側に必要とするスペースをなるべく抑えることができ、かつ、基板同士の接続および解除を円滑に行なうことができる画像形成装置を提供することを目的とする。
【課題を解決するための手段】
【０００７】
上記目的を達成するため、本発明に基づく画像形成装置は、被メンテナンス領域を有する筐体と、第１基板を支持する第１基板支持部と、第２基板を支持する第２基板支持部とを備える。上記第１基板支持部は、上記筐体に設けられた第１回動軸の周りに回動可能であることによって上記被メンテナンス領域のうち第１部分に対して開閉可能である。上記第２基板支持部は、上記第１回動軸とは別に上記第１回動軸と平行に上記筐体に設けられた第２回動軸の周りに回動可能であることによって上記被メンテナンス領域のうち上記第１部分とは異なる第２部分に対して開閉可能である。上記第１基板支持部と上記第２基板支持部との両方を閉状態とすることによって、上記第１基板と上記第２基板とは重なり合うことなく隣接し、上記第１基板支持部と上記第２基板支持部は、上記被メンテナンス領域を閉鎖する。
【発明の効果】
【０００８】
本発明によれば、メンテナンス作業時に筐体の外側に必要とするスペースをなるべく抑えることができ、かつ、基板同士の接続および解除を円滑に行なうことができる。
【図面の簡単な説明】
【０００９】
【図１】本発明に基づく実施の形態１における画像形成装置の第１の向きから見た斜視図である。
【図２】本発明に基づく実施の形態１における画像形成装置の第２の向きから見た斜視図である。
【図３】本発明に基づく実施の形態１における画像形成装置の背面図である。
【図４】本発明に基づく実施の形態１における画像形成装置の背面の被メンテナンス領域を開放した状態の斜視図である。
【図５】本発明に基づく実施の形態１における画像形成装置の背面の被メンテナンス領域を閉鎖した状態の模式図である。
【図６】本発明に基づく実施の形態１における画像形成装置の背面の被メンテナンス領域を開放した状態の模式図である。
【図７】本発明に基づく実施の形態２における画像形成装置の背面の被メンテナンス領域を閉鎖した状態の模式図である。
【図８】本発明に基づく実施の形態２における画像形成装置の基板同士の接続を解除した状態の模式図である。
【図９】本発明に基づく実施の形態２における画像形成装置の変形例の背面の被メンテナンス領域を閉鎖した状態の模式図である。
【図１０】本発明に基づく実施の形態２における画像形成装置の変形例の基板同士の接続を解除した状態の模式図である。
【図１１】本発明に基づく実施の形態３における画像形成装置の背面の被メンテナンス領域を閉鎖した状態の模式図である。
【図１２】本発明に基づく実施の形態４における画像形成装置の背面の被メンテナンス領域を閉鎖した状態の模式図である。
【図１３】本発明に基づく実施の形態４における画像形成装置の基板同士の接続を解除した状態の模式図である。
【図１４】本発明に基づく実施の形態５における画像形成装置に備わる回動規制部の第１の状態での断面図である。
【図１５】本発明に基づく実施の形態５における画像形成装置に備わる回動規制部の平面図である。
【図１６】本発明に基づく実施の形態５における画像形成装置に備わる回動規制部の孔の平面図である。
【図１７】本発明に基づく実施の形態５における画像形成装置の第２の状態での断面図である。
【図１８】本発明に基づく実施の形態６における画像形成装置の背面の被メンテナンス領域を閉鎖した状態の模式図である。
【図１９】本発明に基づく実施の形態６における画像形成装置の変形例の背面の被メンテナンス領域を閉鎖した状態の模式図である。
【図２０】本発明に基づく実施の形態７における画像形成装置の背面の被メンテナンス領域を閉鎖した状態の模式図である。
【発明を実施するための形態】
【００１０】
（実施の形態１）
（構成）
図１〜図６を参照して、本発明に基づく実施の形態１における画像形成装置について説明する。本実施の形態における画像形成装置１０１の外観の一例を図１に示す。画像形成装置１０１は、筐体１と、筐体１の上側に設置された上部装置１９と、筐体１の正面側に張り出すように配置された操作部１０とを備える。上部装置１９は、たとえば原稿を自動的に送り込むための装置であってもよい。操作部１０はタッチパネルを備えていてもよい。図１に示した上部装置１９および操作部１０の位置、形状、サイズはあくまで一例として示したものであって、このとおりとは限らない。
【００１１】
画像形成装置１０１を異なる向きから見たところを図２に示す。筐体１の背面には外装パネル１８が取り付けられている。外装パネル１８は着脱可能となっている。外装パネル１８の位置、形状、サイズはあくまで一例として示したものであって、このとおりとは限らない。
【００１２】
画像形成装置１０１から外装パネル１８を取り外して、図１における矢印９１の向きに見たところを図３に示す。図３では、画像形成装置１０１の筐体１の後ろ側の面が見えている。画像形成装置１０１は筐体１を備える。筐体１に、第１基板支持部１１と、第２基板支持部１２とが取り付けられている。第１基板支持部１１および第２基板支持部１２は、扉のように開けることができる。第１基板支持部１１および第２基板支持部１２を開けた状態の斜視図を図４に示す。筐体１は被メンテナンス領域１ａを有する。被メンテナンス領域１ａの向かって左半分は第１部分５１となっており、向かって右半分は第２部分５２となっている。第１基板支持部１１および第２基板支持部１２を閉鎖し、第１基板３１と第２基板３２との間の接続がなされている状態の詳細を図５に示す。第１基板支持部１１には第１基板３１が取り付けられている。第２基板支持部１２には第２基板３２が取り付けられている。図５において、第１基板３１は、第１基板支持部１１の手前側に取り付けられていてもよく、奥側に取り付けられていてもよい。第１基板３１は、第１基板支持部１１の厚みの内部に取り付けられていてもよい。第２基板３２と第２基板支持部１２との間の関係も同様である。以下の実施の形態においても同様である。
【００１３】
図５では、説明の便宜のため、上部装置１９は図示省略されている。以下の図においても同様である。図５では、第１基板支持部１１と第２基板支持部１２との間に隙間が空いているように描かれているが、これは、第１基板支持部１１と第２基板支持部１２との間で直接接続が行なわれていないことを示すための便宜的なものである。実際には第１基板支持部１１と第２基板支持部１２との間は、隙間があってもなくてもよい。以下の図においても同様である。
【００１４】
画像形成装置１０１は、接続部１７を備える。接続部１７はコネクタ１５とコネクタ１６とを含む。コネクタ１５は第１基板３１に設けられている。コネクタ１６は第２基板３２に設けられている。第１基板支持部１１および第２基板支持部１２を開けるためには、接続部１７の接続を解除する必要がある。
【００１５】
第１基板支持部１１の第２基板支持部１２から遠い側の辺には軸部７が設けられている。第２基板支持部１２の第１基板支持部１１から遠い側の辺にも同様に軸部７が設けられている。ここでは軸部７はＬ字形の部材として示しているが、これはあくまで一例であって他の形状であってもよい。第１基板支持部１１および第２基板支持部１２の外周には複数の固定部４が設けられている。固定部４においては、筐体１に対してネジ留めが行なわれる。第１基板支持部１１および第２基板支持部１２を開けるためには、全ての固定部４におけるネジによる係止を解除する必要がある。
【００１６】
第１基板支持部１１および第２基板支持部１２を開けた状態の詳細を図６に示す。開けた状態では、被メンテナンス領域１ａの中にメンテナンスの対象部分３が露出している。画像形成装置１０１の内部の駆動系または電気部品のメンテナンスを行なう際には、このように対象部分３を露出させてメンテナンスを行なう。
【００１７】
本実施の形態における画像形成装置１０１は、被メンテナンス領域１ａを有する筐体１と、第１基板３１を支持する第１基板支持部１１と、第２基板３２を支持する第２基板支持部１２とを備える。第１基板支持部１１は、筐体１に設けられた第１回動軸４１の周りに回動可能であることによって被メンテナンス領域１ａのうち第１部分５１に対して開閉可能である。第２基板支持部１２は、第１回動軸４１とは別に第１回動軸４１と平行に筐体１に設けられた第２回動軸４２の周りに回動可能であることによって被メンテナンス領域１ａのうち第１部分５１とは異なる第２部分５２に対して開閉可能である。
【００１８】
第１基板支持部１１と第２基板支持部１２との両方を閉状態とすることによって、第１基板３１と第２基板３２とは重なり合うことなく隣接し、第１基板支持部１１と第２基板支持部１２は、被メンテナンス領域１ａを閉鎖する。
【００１９】
（作用・効果）
本実施の形態では、第１基板支持部１１と第２基板支持部１２とが左右両側にそれぞれ別々に回動して開くので、メンテナンス作業時に筐体の外側に必要とするスペースをなるべく抑えることができ、かつ、基板同士の接続および解除を円滑に行なうことができる。
【００２０】
本実施の形態では、被メンテナンス領域１ａの閉鎖状態では、第１基板３１と第２基板３２とは重なり合うことなく隣接しているので、これら両者の間の接続部を外部から操作することが容易となる。
【００２１】
なお、本実施の形態で示したように、第１基板支持部１１および第２基板支持部１２が被メンテナンス領域１ａを閉鎖した状態においては、第１基板３１の第１回動軸４１から遠い側の端と第２基板３２の第２回動軸４２から遠い側の端とが接続されることが好ましい。この構成を採用することにより、接続部を作業者にとってアクセスしやすい位置に配置することができる。
【００２２】
本実施の形態で示したように、第１基板支持部１１および第２基板支持部１２が被メンテナンス領域１ａを閉鎖した状態から第１基板支持部１１および第２基板支持部１２のうち少なくとも一方を開ける際には、第１基板３１と第２基板３２との間の接続を先に解除しない限り開けることができない構成であることが好ましい。この構成を採用することにより、接続を解除する前に基板支持部を開けようとする作業ミスを減らすことができる。
【００２３】
（実施の形態２）
（構成）
図７〜図８を参照して、本発明に基づく実施の形態２における画像形成装置について説明する。本実施の形態における画像形成装置１０２は、基本的な構成に関しては、実施の形態１で説明した画像形成装置１０１と同様であるが、以下の点で異なる。
【００２４】
本実施の形態における画像形成装置１０２においては、第１基板３１を第１基板支持部１１に対してスライドさせるか、第２基板３２を第２基板支持部１２に対してスライドさせるかの少なくともいずれか一方が可能であり、このスライドによって、第１基板３１と第２基板３２との間の接続が切り離される。
【００２５】
第１基板支持部１１および第２基板支持部１２が被メンテナンス領域１ａを閉鎖し、第１基板３１と第２基板３２との間の接続がなされている状態を図７に示す。図７においては、第１基板３１は第１基板支持部１１に対してスライド可能となっており、第２基板３２は第２基板支持部１２に対してスライド可能となっている。被メンテナンス領域１ａを開放しようとする場合には、まず、矢印９５，９６に示すように、第１基板３１および第２基板３２をスライドさせる。その結果、図８に示す状態になる。すなわち、第１基板３１および第２基板３２をスライドさせることによって、コネクタ１５，１６が互いに遠ざかり、接続部１７における接続が解除される。
【００２６】
言い換えれば、第１基板３１および第２基板３２のうち少なくとも一方を他方から遠ざかる向きにスライドさせることによって、第１基板３１と第２基板３２との間の接続が解除される。
【００２７】
図７に示す状態では、固定部２１は第１基板３１によって覆い隠されており、固定部２２は第２基板３２によって覆い隠されている。しかし、図８に示す状態では、固定部２１，２２は露出している。この状態では、作業者は固定部２１，２２に対する操作を行なうことができる。第１基板支持部１１および第２基板支持部１２を開けるためには固定部４の他に固定部２１，２２のネジ留めを解除する必要があるので、第１基板支持部１１および第２基板支持部１２を開けるためには、作業者は基板の配置を図７の状態から図８の状態に移行させる必要がある。図８に示す状態からは、矢印９２に示すように第１基板支持部１１を回動させることができ、矢印９３に示すように第２基板支持部１２を回動させることができる。こうすることによって被メンテナンス領域１ａを開放することができる。
【００２８】
（作用・効果）
本実施の形態においても、実施の形態１で説明したような効果を得ることができる。本実施の形態では、基板支持部を動かさずに基板のみをスライドさせることで、接続部１７を切り離したりつないだりすることができるので、作業者にとって作業が容易となる。
【００２９】
本実施の形態で示したように、第１基板支持部１１および第２基板支持部１２の少なくとも一方に対して、閉状態で固定する固定部２１，２２が設けられており、第１基板３１と第２基板３２とが接続されている状態では、固定部２１，２２は隠されており、第１基板３１および第２基板３２のうちいずれか一方をスライドさせることによって固定部２１，２２が露出して固定部２１，２２に対する操作が可能となることが好ましい。この構成を採用することにより、基板同士の接続が解除されていない状態では、固定部２１，２２への操作は行なえないので、基板同士の接続がまだ解除されていない状態で、作業者が誤って第１基板支持部１１および第２基板支持部１２を開けてしまうことを防止することができる。
【００３０】
（変形例）
本実施の形態における画像形成装置の変形例として、図９〜図１０に示す画像形成装置１０３も考えられる。画像形成装置１０３において、第１基板支持部１１および第２基板支持部１２が被メンテナンス領域１ａを閉鎖し、第１基板３１と第２基板３２との間の接続がなされている状態を図９に示す。図９においては、第２基板３２は第２基板支持部１２に対してスライド可能となっている。第１基板３１は第１基板支持部１１に対してスライド可能となっていなくてもよい。図９に示す状態から第２基板３２を矢印９６に示すようにスライドさせることによって、第１基板３１と第２基板３２との間の接続が切り離され、画像形成装置１０３は図１０に示す状態となる。図９に示す状態では、固定部２２，２３は第２基板３２によって覆い隠されていたが、図１０に示す状態では、固定部２２，２３が露出し、固定部２２，２３に対する操作が可能となっている。図１０に示す状態からは、矢印９２に示すように第１基板支持部１１を回動させることができ、その後、矢印９３に示すように第２基板支持部１２を回動させることができる。こうすることによって被メンテナンス領域１ａを開放することができる。
【００３１】
（実施の形態３）
（構成）
図１１を参照して、本発明に基づく実施の形態３における画像形成装置について説明する。本実施の形態における画像形成装置１０４は、基本的な構成に関しては、実施の形態１で説明した画像形成装置１０１と同様であるが、以下の点で異なる。
【００３２】
本実施の形態における画像形成装置１０４では、第１基板支持部１１および第２基板支持部１２の外周の一部において、固定部４の代わりに引掛け部５が設けられている。固定部４はネジ留めによって係止される部分である一方、引掛け部５は横向きの凹部に横向きの突起を引っ掛けることによって係止される部分である。引掛け部５においては、ネジ留めはされていない。他の場所にある固定部４におけるネジ留めを解除すれば、作業者が第１基板支持部１１または第２基板支持部１２を横向きに移動させることによって、引掛け部５における係止を容易に解除することができる。
【００３３】
（作用・効果）
本実施の形態では、第１基板支持部１１および第２基板支持部１２の外周の一部に引掛け部５が採用されているので、作業に要する時間を短縮することができ、作業効率を上げることができる。
【００３４】
（実施の形態４）
（構成）
図１２〜図１３を参照して、本発明に基づく実施の形態４における画像形成装置について説明する。本実施の形態における画像形成装置１０５は、基本的な構成に関しては、実施の形態１で説明した画像形成装置１０１と同様であるが、以下の点で異なる。
【００３５】
本実施の形態における画像形成装置１０５においては、第１基板支持部１１および第２基板支持部１２の少なくとも一方を、第１基板支持部１１と第２基板支持部１２とが互いに遠ざかる向きにスライドさせることによって、第１基板３１と第２基板３２との間の接続が解除される。第１基板支持部１１および第２基板支持部１２が被メンテナンス領域１ａを閉鎖し、第１基板３１と第２基板３２との間の接続がなされている状態を図１２に示す。図１２においては、固定部２４は第２基板３２によって覆い隠されている。第１基板３１は第１基板支持部１１に対してスライド可能でなくてもよい。第２基板３２は第２基板支持部１２に対してスライド可能でなくてもよい。第２基板３２と第２基板支持部１２とが合わさったものは一体的にスライド可能となっている。図１２に示す状態から、第２基板３２と第２基板支持部１２とが合わさったものを矢印９８に示すようにスライドさせることによって、図１３に示す状態になる。第１基板３１と第２基板３２との間の距離が広がり、コネクタ１５，１６による接続は解除される。図１３に示す状態では、固定部２４が露出している。この状態では、固定部２４に対する操作をすることが可能である。
【００３６】
図１３に示す状態からは、矢印９２に示すように第１回動軸４１の周りに第１基板支持部１１を回動させることができ、矢印９３に示すように第２回動軸４２の周りに第２基板支持部１２を回動させることができる。こうすることによって被メンテナンス領域１ａを開放することができる。
【００３７】
（作用・効果）
本実施の形態においても、実施の形態１で説明したような効果を得ることができる。この構成を採用することにより、基板と基板支持部との間にスライド機構を設ける必要がなくなる。
【００３８】
本実施の形態で示したように、第１基板支持部１１および第２基板支持部１２の少なくとも一方に対して、閉状態で固定する固定部２４が設けられており、第１基板３１と第２基板３２とが接続されている状態では、固定部２４は隠されており、第１基板支持部１１および第２基板支持部１２のうちいずれか一方をスライドさせることによって固定部２４が露出して固定部２４に対する操作が可能となる構成であることが好ましい。この構成を採用することにより、基板同士の接続が解除されていない状態では、固定部２４への操作は行なえないので、基板同士の接続がまだ解除されていない状態で、作業者が誤って第１基板支持部１１および第２基板支持部１２を開けてしまうことを防止することができる。
【００３９】
（実施の形態５）
（構成）
図１４〜図１７を参照して、本発明に基づく実施の形態５における画像形成装置について説明する。本実施の形態における画像形成装置は、基本的な構成に関しては、実施の形態１で説明した画像形成装置と同様であるが、以下の点で異なる。
【００４０】
本実施の形態における画像形成装置においては、第１基板支持部１１および第２基板支持部１２の少なくとも一方に対応して、図１４に示すような回動を規制する回動規制部４５が設けられており、第１基板支持部１１および第２基板支持部１２の少なくとも一方をスライドさせることにより、回動規制部４５による規制が解除される。回動規制部４５は、軸部７近傍に設けられるものである。これまでの実施の形態で説明したいずれかの画像形成装置であっても、基板支持部をスライドさせて初めて基板支持部が回動可能となるように設定すべきである場合には、回動規制部４５を採用することができる。
【００４１】
図１４は、回動規制部４５を拡大した断面図である。上から見たところを図１５に示す。軸支持部８が孔６を有している。ここで示す例では、孔６は貫通孔であるが、必ずしも貫通孔でなくてもよい。貫通していない凹部によっても回動規制部を実現することはできる。孔６の形状のみに注目したところを図１６に示す。孔６は第１空間部６ａと第２空間部６ｂとを含む。第１空間部６ａは略円形である。第２空間部６ｂは線状である。図１６に示すように、第１空間部６ａと第２空間部６ｂとは連通している。図１４に示すように、軸部７の鉛直方向に延びる部分は孔６を貫通している。図１４に示す状態では、軸部７は第２空間部６ｂに位置しており、この状態では、この軸部７に連なる基板支持部は回動することができない。図１４および図１５に示すように軸部７が矢印９９に示すように移動することによって、軸部７は第１空間部６ａに到達し、その結果、この軸部７に連なる基板支持部が回動可能となる。図１５に示すように第１空間部６ａは内部で軸部７が回動することが可能な程度の大きさの径を有する。軸部７が第１空間部６ａにある状態で側方から見た断面図を図１７に示す。
【００４２】
言い換えれば、前記第１回動軸および前記第２回動軸の少なくとも一方は、この回動軸に対応する基板支持部がスライドすることによって前記基板支持部が回動可能な状態と回動不可能な状態とを切り替えることができる。
【００４３】
本実施の形態で示した回動規制部４５の構造を考慮すれば、以下のように表現することもできる。第１回動軸４１および第２回動軸４２の少なくとも一方は、前記基板支持部の軸部７を孔６に収容して保持する構造となっている。孔６は、内部で軸部７が回動可能なように広がった空間を有する第１空間部６ａと、軸部７が内部で回動できないように狭くなっている第２空間部６ｂとを有する。第１空間部６ａと第２空間部６ｂとは、軸部７が相互に移動可能なように連通している。
【００４４】
（作用・効果）
本実施の形態では、回動規制部４５の働きにより、基板支持部の回動を規制することができるので、基板支持部によって被メンテナンス領域１ａが閉鎖されている状態からは、まず基板支持部をスライドさせなければ基板支持部を開放することができないようにすることができる。こうすることで、作業者が手順を誤って基板支持部を開放することを防ぐことができる。
【００４５】
なお、軸部７の鉛直方向に延在する部分は、孔６の長さより長くしておくことが好ましい。なぜなら、このようにしておけば、軸部７が多少傾いても即座には孔６から抜けにくいからである。
【００４６】
（実施の形態６）
（構成）
図１８を参照して、本発明に基づく実施の形態６における画像形成装置について説明する。本実施の形態における画像形成装置１０６は、基本的な構成に関しては、実施の形態１で説明した画像形成装置１０１と同様であるが、以下の点で異なる。
【００４７】
本実施の形態における画像形成装置１０６においては、第１基板３１と第２基板３２との接続は、着脱可能な仲介部品１３によってなされており、第１基板支持部１１および第２基板支持部１２は仲介部品１３が付けられている状態では開けることができず、仲介部品１３を取り外すことによって、開けることが可能となる。
【００４８】
ここで示す例では、仲介部品１３は板状の部品である。これはあくまで一例であって、仲介部品１３は他の形状の部品であってもよい。第１基板３１はコネクタ２５を備える。第１基板３１と仲介部品１３とは、コネクタ２５を介して接続されている。第２基板３２はコネクタ２６を備える。第２基板３２と仲介部品１３とは、コネクタ２６を介して接続されている。仲介部品１３は、固定部９を備える。固定部９においては、仲介部品１３は、筐体１に対してネジ留めされている。
【００４９】
仲介部品１３を取り外した状態では、第１基板支持部１１および第２基板支持部１２は、矢印９２，９３に示すように回動させることができる。
【００５０】
（作用・効果）
本実施の形態では、第１基板３１と第２基板３２との接続は、着脱可能な仲介部品１３によってなされているので、仲介部品１３を取り外すことによって、第１基板３１と第２基板３２との接続が解除されることとなる。仲介部品１３を取り外さなければ第１基板支持部１１および第２基板支持部１２を開けることはできないので、第１基板３１と第２基板３２との接続がなされたままの状態で第１基板支持部１１および第２基板支持部１２を開ける状況は起こり得ない。したがって、基板同士の接続がまだ解除されていない状態で、作業者が誤って第１基板支持部１１および第２基板支持部１２を開けてしまうことを防止することができる。
【００５１】
（変形例）
本実施の形態における画像形成装置の変形例として、図１９に示す画像形成装置１０７も考えられる。画像形成装置１０７においては、仲介部品はハーネス３５である。第１基板支持部１１および第２基板支持部１２は、それぞれハーネス固定部３６を備える。図１９に示す例では、２本のハーネス３５が用いられているが、ハーネス３５の数は２以外であってもよい。複数本のハーネスがある場合には、ハーネスがいずれも同じ長さであるとは限らず、異なる長さのハーネスを組み合わせて用いてもよい。
【００５２】
第１基板３１に対するノイズの影響を軽減させるためには基板同士を直接接続することが好ましいが、基板同士が離れていてもこのようにハーネス３５を用いて接続することが可能である。第１基板３１はコネクタ２７を備える。第２基板３２はコネクタ２８を備える。ハーネス３５は、コネクタ２７とコネクタ２８とを結ぶように配置されている。ハーネス３５の中間部分の通過位置は、ハーネス固定部３６によって規制される。
【００５３】
この構成を採用することにより、仲介部品としてのハーネス３５をまず取り外さなければ第１基板支持部１１および第２基板支持部１２を開けることができない。ハーネス３５を取り外すことは、基板同士の接続を解除することに他ならない。したがって、画像形成装置１０７においては、基板同士の接続がまだ解除されていない状態で、作業者が誤って第１基板支持部１１および第２基板支持部１２を開けてしまうことを防止することができる。
【００５４】
（実施の形態７）
（構成）
図２０を参照して、本発明に基づく実施の形態７における画像形成装置について説明する。本実施の形態における画像形成装置１０８は、基本的な構成に関しては、実施の形態１で説明した画像形成装置１０１と同様であるが、以下の点で異なる。
【００５５】
本実施の形態における画像形成装置１０８においては、第１基板３１は画像処理基板であり、着脱可能なシールドケース３７内に格納されている。
【００５６】
（作用・効果）
本実施の形態においても、実施の形態１で説明したような効果を得ることができる。さらに本実施の形態では、第１基板３１が画像処理基板であるので、外部からのノイズの影響をなるべく遮断すべきであるところ、第１基板３１はシールドケース３７内に格納されているので、ノイズをほぼ遮断することができる。シールドケース３７は着脱可能であるので、第１基板３１のメンテナンス作業を行ないたい場合には、シールドケース３７を取り外して行なえばよい。
【００５７】
なお、ここでは、実施の形態１で説明した画像形成装置１０１の構成をベースに、シールドケース３７を備える例を示したが、他の実施の形態で説明した画像形成装置の構成をベースに、シールドケース３７を備える構成としてもよい。
【００５８】
なお、上記実施の形態のうち複数を適宜組み合わせて採用してもよい。
なお、これまで画像形成装置として説明してきたものは、複写機、プリンタ、ＦＡＸ送受信機のいずれかの機能を備えたものであってもよい。また、これらのうちの複数の機能を兼ね備えたものであってもよい。
【００５９】
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００６０】
１  筐体、１ａ  被メンテナンス領域、３  対象部分、４，９  固定部、５  引掛け部、６  孔、６ａ  第１空間部、６ｂ  第２空間部、７  軸部、８  軸支持部、１０  操作部、１１  第１基板支持部、１２  第２基板支持部、１３  仲介部品、１５，１６  コネクタ、１７  接続部、１８  外装パネル、１９  上部装置、２１，２２，２３，２４  固定部、２５，２６，２７，２８  （仲介部品と接続するための）コネクタ、３１  第１基板、３２  第２基板、３５  ハーネス、３６  ハーネス固定部、３７  シールドケース、４１  第１回動軸、４２  第２回動軸、４５  回動規制部、５１  第１部分、５２  第２部分、９１，９２，９３，９５，９６，９７，９８，９９  矢印、１０１，１０２，１０３，１０４，１０５，１０６，１０７，１０８  画像形成装置。
【図１】
2020012902.tif 000003
【図２】
2020012902.tif 000004
【図３】
2020012902.tif 000005
【図４】
2020012902.tif 000006
【図５】
2020012902.tif 000007
【図６】
2020012902.tif 000008
【図７】
2020012902.tif 000009
【図８】
2020012902.tif 000010
【図９】
2020012902.tif 000011
【図１０】
2020012902.tif 000012
【図１１】
2020012902.tif 000013
【図１２】
2020012902.tif 000014
【図１３】
2020012902.tif 000015
【図１４】
2020012902.tif 000016
【図１５】
2020012902.tif 000017
【図１６】
2020012902.tif 000018
【図１７】
2020012902.tif 000019
【図１８】
2020012902.tif 000020
【図１９】
2020012902.tif 000021
【図２０】
2020012902.tif 000022